(57)【要約】【課題】写真紙を表紙として容易に用いることが可能なハードカバーを提供する。【解決手段】ハードカバーＨは、背部３と、当該背部３の両端部に折り曲げ可能に設けられた表紙部２と、を備えるハードカバーＨにおいて、表面に画像が表示された写真紙５と、前記表紙部２に対応する前記写真紙５の領域の裏面、及び前記背部３に対応する前記写真紙５の領域の裏面に貼着される厚紙１０と、を具備し、前記写真紙５の周縁部５ｂには、前記厚紙１０の形状に沿って折り返すための折曲線２１、２１ａ、２２、２２ａが筋押しされて形成されており、前記写真紙５の周縁部５ｂが前記折曲線２１、２１ａ、２２、２２ａにしたがって折り返されて前記厚紙１０の周縁を覆うようにして当該厚紙１０に貼着されている。【選択図】図３
2011056777.tif 000002
【特許請求の範囲】
【請求項１】
背部と、当該背部の両端部に折り曲げ可能に設けられた表紙部と、を備えるハードカバーにおいて、
表面に画像が表示された写真紙と、
前記表紙部に対応する前記写真紙の領域の裏面、及び前記背部に対応する前記写真紙の領域の裏面に貼着される厚紙と、を具備し、
前記写真紙の周縁部には、前記厚紙の形状に沿って折り返すための折曲線が筋押しされて形成されており、
前記写真紙の周縁部が前記折曲線にしたがって折り返されて前記厚紙の周縁を覆うようにして当該厚紙に貼着されていることを特徴とするハードカバー。
【請求項２】
前記写真紙は、矩形状に形成されその四隅が斜めにカットされており、その斜めにカットされた部分の斜辺と前記写真紙の端部で折り返される折り返し片との接続点と、前記写真紙の上下端部で折り返される上下折り返し片の折曲線と前記写真紙の左右端部で折り返される左右折り返し片の折曲線との交点と、を垂直、又は水平に結ぶ谷折り用の折曲線を有し、且つ谷折り用の２つの前記折曲線によって外側に形成される角度を２等分する２等分線上に山折り用の折曲線を有し、山折り及び谷折り用の折曲線は筋押しされて形成されており、
山折り及び谷折り用の前記折曲線がそれぞれ谷折り及び山折されつつ、前記左右折り返し片及び上下折り返し片がそれぞれ厚紙の周縁を覆うようにして折り返されて当該厚紙に貼着されていることを特徴とする請求項１に記載のハードカバー。
【請求項３】
前記写真紙は、前記表紙部と背部を合わせた大きさの本体部と、その本体部の上下に延長して形成される上下折り返し片と、左右に延長して形成される左右折り返し片と、を備え、
前記左右折り返し片は、外側の端部が上下に突き出すように形成された突出片を有しており、
前記上下折り返し片、左右折り返し片、及び突出片には、前記厚紙の形状に沿って折り返される折曲線が筋押しされて形成されており、
前記左右折り返し片、上下折り返し片、及び突出片がそれぞれ厚紙の周縁を覆うようにして折り返されて当該厚紙に貼着されていることを特徴とする請求項１に記載のハードカバー。
【発明の詳細な説明】
【技術分野】
【０００１】
本発明は、ハードカバーに関するものであって、例えばアルバム等の冊子の表紙に用いられるハードカバーに関する。
【背景技術】
【０００２】
近年、デジタル印刷機の普及により、写真紙を冊子状に製本したアルバムが多く存在する。このようなアルバムの表紙には、耐久性と体裁を向上させるために、簡単には折れ曲がらないように硬くした厚い紙が用いられている（例えば、特許文献１参照）。
【０００３】
また、近年、デジタル印刷機の普及により、ユーザによって撮影された複数の写真紙を製本する機会が増えつつある。このような場合には、予め作成されたハードカバーに前記複数の写真紙が冊子として綴じられる。
【先行技術文献】
【特許文献】
【０００４】
【特許文献１】特許第３８７８８４３号公報
【発明の概要】
【発明が解決しようとする課題】
【０００５】
このようにユーザによって撮影された複数の写真紙を製本する場合において、自ら撮影した写真紙を表紙として用いたいというユーザからの要望がある。
【０００６】
しかしながら、表紙として写真紙を用いて、例えば、厚紙に写真紙を貼り合わせて表紙を製造する場合、厚紙の周縁を写真紙でくるむことが予想されるが、写真紙は従来の用紙よりも厚く、紙のコシが強いため、写真紙の周縁を折り返して厚紙の周縁をくるむ時に、写真紙と厚紙とが接着されにくいなどの問題がある。
【０００７】
本発明は、このような問題の解消を一つの課題とし、その目的の一例は、写真紙を表紙として容易に用いることが可能なハードカバーを提供するものである。
【課題を解決するための手段】
【０００８】
上記課題を解決するため、請求項１に記載のハードカバー（Ｈ）は、背部（３）と、当該背部の両端部に折り曲げ可能に設けられた表紙部（２）と、を備えるハードカバーにおいて、表面に画像が表示された写真紙（５）と、前記表紙部に対応する前記写真紙の領域の裏面、及び前記背部に対応する前記写真紙の領域の裏面に貼着される厚紙（１０）と、を具備し、前記写真紙の周縁部（５ｂ）には、前記厚紙の形状に沿って折り返すための折曲線（２１、２２、２１ａ、２２ａ）が筋押しされて形成されており、前記写真紙の周縁部が前記折曲線にしたがって折り返されて前記厚紙の周縁を覆うようにして当該厚紙に貼着されていることを特徴とする。
【０００９】
この発明によれば、写真紙の周縁部に厚紙の形状に沿って折り返すための折曲線が筋押しされて形成されているので、容易に写真紙を折り返すことができ、容易にハードカバーを製造することが可能である。また、ユーザが自ら撮影した写真紙を表紙としてハードカバーを備えたフォトブックを作成することができる。さらに、ユーザのお気に入りの写真でハードカバーを容易に作成することができる。
【００１０】
また、請求項２に記載のハードカバーは、請求項１に記載のハードカバーにおいて、前記写真紙は、矩形状に形成されその四隅が斜めにカットされており、その斜めにカットされた部分の斜辺と前記写真紙の端部で折り返される折り返し片との接続点と、前記写真紙の上下端部で折り返される上下折り返し片（２０ａ）の折曲線（２１）と前記写真紙の左右端部で折り返される左右折り返し片（２０ｂ）の折曲線（２２）との交点と、を垂直、又は水平に結ぶ谷折り用の折曲線（２３）を有し、且つ谷折り用の２つの前記折曲線によって外側に形成される角度を２等分する２等分線上に山折り用の折曲線（２４）を有し、山折り及び谷折り用の折曲線は筋押しされて形成されており、山折り及び谷折り用の前記折曲線がそれぞれ谷折り及び山折されつつ、前記左右折り返し片及び上下折り返し片がそれぞれ厚紙の周縁を覆うようにして折り返されて当該厚紙に貼着されていることを特徴とする。
【００１１】
この発明によれば、容易に写真紙の周縁部を折り返してハードカバーを製造することができるとともに、隅部をきれいに折り畳むことができるので、見栄えを良くすることができる。
【００１２】
また、請求項３に記載のハードカバーは、請求項１に記載のハードカバーにおいて、前記写真紙は、前記表紙部と背部を合わせた大きさの本体部（３１）と、その本体部の上下に延長して形成される上下折り返し片（３２）と、左右に延長して形成される左右折り返し片（３３）と、を備え、前記左右折り返し片は、外側の端部が上下に突き出すように形成された突出片（３４）を有しており、前記上下折り返し片、左右折り返し片、及び突出片には、前記厚紙の形状に沿って折り返される折曲線が筋押しされて形成されており、前記左右折り返し片、上下折り返し片、及び突出片がそれぞれ厚紙の周縁を覆うようにして折り返されて当該厚紙に貼着されていることを特徴とする。
【００１３】
この発明によれば、容易に写真紙の周縁部を折り返してハードカバーを製造することができるとともに、隅部をきれいに折り畳むことができるので、見栄えを良くすることができる。
【発明の効果】
【００１４】
本発明によれば、写真紙を表紙として用いてハードカバーを容易に製造することができる。また、見栄えの良いハードカバーを容易に製造することができる。
【図面の簡単な説明】
【００１５】
【図１】ハードカバーを閉じた時の斜視図である。
【図２】ハードカバーを開いた時の正面図である。
【図３】ハードカバーの構成を示す図である。
【図４】銀塩写真紙の層構成の一例を示す図である。
【図５】昇華転写紙の層構成の一例を示す図である。
【図６】シートの形状を示す正面図である。
【図７】図６のＸ部分の拡大図であって、隅部におけるシートのくるみ処理を説明するための図である。
【図８】他の実施形態のシートの形状を示す正面図である。
【図９】図８のＹ部分の拡大図であって、他の実施形態の隅部におけるシートのくるみ処理を説明するための図である。
【図１０】ハードカバーの製造工程を説明するための図である。
【図１１】他の実施形態の隅部におけるシートのくるみ処理を説明するための図である。
【発明を実施するための形態】
【００１６】
以下、本発明の望ましい形態について図面に基づいて説明する。
【００１７】
図１乃至図３に示すように、ハードカバーＨは、平面が略矩形状のカバー本体１を備えている。このカバー本体１は、表表紙２ａと裏表紙２ｂで構成される表紙部２と、この表表紙２ａと裏表紙２ｂとの間において当該表表紙２ａと裏表紙２ｂとを連結する背表紙３ａで構成される背部３と、を備えている。この背部３は、ハードカバー本体１における略中央部において、幅方向（カバー本体１の高さ方向に直交する方向）に所定の背幅を有している。この背幅は表紙部２へ挿入する冊子の厚みと略等しい（または、表裏表紙２ａ、２ｂの厚みを加算した厚さ）長さを有する。また、当該表表紙２ａと裏表紙２ｂは、背表紙３ａと連結している部分において開閉自在に折り曲げることができる。なお、このようなハードカバー本体１の内側には、図示しないが、例えば、写真紙が保持された冊子等が取り付けられる。
【００１８】
このカバー本体１は、図１乃至図３に示すように、表面に画像が表示された写真紙５と、表紙部２に対応する写真紙５の領域の裏面及び背部３に対応する写真紙５の領域の裏面に貼着される厚紙１０と、を備えている。
【００１９】
写真紙５は、表紙部２及び背部３として規定される大きさを有する本体部５ａと、前記厚紙１０の周縁を覆うための周縁部５ｂと、を備えている。
【００２０】
この写真紙５の周縁部５ｂは、四隅が斜めにカットされて形成されており、厚紙１０の形状に沿って折り返されて当該厚紙１０周縁をくるむようにして設けられている。
【００２１】
この写真紙５は、本体部５ａを囲むようにして形成され裏面側へと折り返すための折曲線２１、２２を有しており、周縁部５ｂとして機能するこの折曲線２１、２２の外側部分は裏面側へと折り返される折り返し片として機能する。また、上下に左右方向に延びて形成された当該折曲線２１の上下外側に有する上下折り返し片２０ａ、２０ａは、本体部５ａの上端縁および下端縁において裏面側へと折り返されて厚紙１０の上端部及び下端部をくるむ。また、左右に上下方向に延びて形成された当該折曲線２２の左右外側に有する左右折り返し片２０ｂ、２０ｂは、本体部５ａの左端縁および右端縁において裏面側へと折り返されて厚紙１０の左端部及び右端部をくるむ。
【００２２】
また、上下折り返し片２０ａ及び左右折り返し片２０ｂには、厚紙１０の形状に沿って折り返すための折曲線２１ａ、２１ａ、２２ａ、２２ａを有しており、上下折り返し片２０ａ及び左右折り返し片２０ｂは、当該折曲線２１ａ、２１ａ、２２ａ、２２ａにより厚紙１０の形状に沿って折り返されて厚紙１０に接着剤により貼着される。
【００２３】
写真紙５を折り返すための上記折曲線２１、２２、２１ａ、２１ａ、２２ａ、２２ａは、筋押しされて形成されており、この筋押しによって、コシの強い写真紙を容易に折り畳むことが可能となっている。
【００２４】
なお、筋押しとは、筋状又は線状に加圧することにより細い溝を刻設する加工であり、加圧された部分から折り曲げ易くなる。また、予め折曲線に沿って折り曲げるなどしておいても構わない。
【００２５】
また、写真紙５には、一般的に銀塩写真紙や昇華転写紙と称される紙材が用いられる。
【００２６】
ここで、本実施形態で用いられる写真紙５の層構成の一例について説明する。
【００２７】
銀塩写真紙５０は、例えば、図４に示すように、パルプ紙など厚紙５１ａの上下にポリエチレン樹脂５１ｂを備えた基材層５１の上面にシアン、マゼンダ、イエローなどの色素像５２ａ〜５２ｃによって画像が形成される感光層５２を備え、当該感光層５２の上面には保護層５３を備えている。
【００２８】
また、昇華転写紙６０は、例えば、図５に示すように、少なくとも基材層６１及び色材によって画像が形成される色材受容層６２を備えるものである。また、色材受容層６２の上面には保護層６５を備えている。ここにおいて、基材としては、ミクロボイドを有するプラスチックフィルムの単層または複数層からなるもの、或いはプラスチックフィルムまたは紙（例えば王子製紙（株）製「ＯＫコート」）からなる支持体をミクロボイドを有するプラスチックフィルムを貼り合わせてなる積層材からなるものが、転写時に良好なクッション性を付与し良好な画像を形成するので好ましい。ミクロボイドを有するプラスチックフィルムはポリプロピレンやポリエチレンテレフタレートからなるものが一般的であり、一例として東洋紡績（株）製「Ｐ４２５５」が挙げられる。
【００２９】
前記した支持体とミクロボイドを有するプラスチックフィルムを積層したものは、ミクロボイドを有するプラスチックフィルム単体のときに生じるプリント時の熱によるカールが支持体により防止されるので好ましい。また、支持体とミクロボイドを有するプラスチックフィルムの積層構造は、その他に、支持体を中心にその両側にミクロボイドを有するプラスチックフィルムを積層した３層以上の多層構造であっても良い。
【００３０】
基材の色材受容層６２と反対側の層６３は、カール防止及び湿気防止の役割を果たすもので、これらの役割を果たすプラスチックフィルムまたは樹脂層または紙層で構成することができる。この基材の色材受容層６２と反対側の層６３は、一般的に、色材受容層６２に面するプラスチックフィルムの１／３〜３倍の厚さで構成される。
【００３１】
また、基材の色材受容層６２と反対側の面に必要に応じて、プリンター給紙時の紙間摩擦力の低減のために裏面層を設けても良い。また、裏面層は筆記適性を向上させるための筆記適性層を含むものであっても良い。
【００３２】
また、色材受容層６２としては、昇華転写受像層として一般に用いられているもの、例えば、飽和ポリエステルと塩化ビニル共重合体の混合樹脂からなるものを適用することができる。なお、色材受容層６２はオーバーコート層の転写が可能であるものが望ましい。
【００３３】
厚紙１０は、ボール紙を複数重ね、その隣り合う各ボール紙を貼り合わせて形成される。この厚紙１０は、図２及び図３に示すように、表表紙２ａ、裏表紙２ｂ、背表紙３ａとほぼ同じ大きさ又は少し小さな大きさを有する３つの厚紙ブロック４ａ〜４ｃを備えており、それぞれの厚紙ブロック４ａ〜４ｃが表表紙２ａ、裏表紙２ｂ、背表紙３ａに対応する写真紙５の裏面に接着剤により貼着される。
【００３４】
以上に説明したようにハードカバーＨは、写真紙５と、写真紙５の本体部の裏面に貼り付けられる厚紙１０と、を備え、当該写真紙５の周縁部５ａには、裏面側へと折り返すための筋押しされた折曲線が形成されており、この折曲線により写真紙５の周縁部５ａを折り返して貼着することで厚紙１０の周縁をくるむ（覆う）ようになっており、例えば、写真紙５を表紙として用いてハードカバーＨを容易に製造することができる。
【００３５】
ここで、ハードカバーＨの隅部におけるシートの折り畳み処理について説明する。本実施形態のハードカバーＨは、上記に示すように写真紙５の周縁部で厚紙１０の周縁が覆われる構成を有するが、より見栄えを良くするには、隅部の写真紙５の折り畳み処理が必要不可欠である。
【００３６】
そこで、本実施形態の写真紙５の隅部には、図６、及び図７に示すように、斜めにカットされた部分の斜辺と折り返し片との接続点と、上下折り返し片２０ａの折曲線２１と左右折り返し片２０ｂの折曲線２２との交点と、を垂直、又は水平に結ぶ谷折り用の折曲線２３を有し、且つ谷折り用の２つの折曲線によって外側に形成される角度を２等分する２等分線上に山折り用の折曲線２４を有する。これらの折曲線２３、２４も、上記同様に筋押しされて形成される。
【００３７】
そして、写真紙５の周縁部５ｂは、例えば、図７（ｂ）に示すように、折曲線２３、２４がそれぞれ谷折り又は山折されつつ、左右折り返し片２０ｂが厚紙１０の側面に沿って折り返され更に厚紙１０の内面上に折り返された後、上下折り返し片２０ａが厚紙１０の端面に沿って折り返され更に厚紙１０の内面（裏面）であって左右折り返し片２０ｂ上に折り返されて貼着される。
【００３８】
このようにしてフィルム２０がハードカバーＨの隅部においてきれいに折り畳まれることにより、ハードカバーＨの見栄えが良好となる。
【００３９】
また、上記実施形態では、図６及び図７に示すように、斜めにカットされた部分の斜辺と折り返し片との接続点と、上下折り返し片２０ａの折曲線２１と左右折り返し片２０ｂの折曲線２２との交点と、を垂直、又は水平に結ぶ谷折り用の折曲線２３を有する構成となっているが、一方の当該谷折り用の折曲線２３を、図１１に示すように、上下折り返し片２０ａの折曲線２１と山折り用の折曲線２４とによって内側に形成される角度を２等分する２等分線上に有し、他方の当該谷折り用の折曲線２３を、左右折り返し片２０ｂの折曲線２２と山折り用の折曲線２４とによって外側に形成される角度を２等分する２等分線上に有する。また、一方の当該谷折り用の折曲線２３は、上下折り返し片２０ａの折曲線２１と左右折り返し片２０ｂの折曲線２２とが交わる交点から上下折り返し片２０ａの外側端部（図上では上端）まで延びるように形成され、他方の当該当該谷折り用の折曲線２３は、上下折り返し片２０ａの折曲線２１と左右折り返し片２０ｂの折曲線２２とが交わる交点から左右折り返し片２０ｂの外側端部（図上では左端）まで延びるように形成される。なお、他の隅部も同様に谷折り用の折曲線２３を有するように構成する。このように谷折り用折曲線２３を構成することで、更に、隅部をきれいに折り畳むことができる。
【００４０】
次に、写真紙の他の折り畳み処理の実施形態を説明する。
【００４１】
写真紙３０は、図８及び図９に示すように、表紙部２及び背部３として規定される大きさを有する本体部３１と、その本体部３１の上下それぞれに延長して形成される上下折り返し片３２と、左右それぞれに延長して形成される左右折り返し片３３と、を備えている。また、上下折り返し片３２は先細り形状となるように端部が斜めにカットされて形成されている。また、左右折り返し片３３は、外側の端部が上下に突き出すように形成された突出片３４を有して形成されている。
【００４２】
また、本体部３１と上下折り返し片３２、及び本体部３１と左右折り返し片３３とが連絡する本体部３１の縁部には、上下折り返し片３２や左右折り返し片３３を厚紙１０の側面側へと折り返す折曲線３２ａ、３３ａを有している。また、上下折り返し片３２及び左右折り返し片３３には、厚紙１０の側面から裏面側へと折り返す折曲線３２ｂ、３３ｂを有している。さらに、左右折り返し片３３には、突出片３４を厚紙１０の裏面側から上下端面へと折り返す折曲線３３ｃを有している。これらの折曲線３２ａ、３２ｂ、３３ａ〜３３ｃは、筋押しされて形成されている。
【００４３】
そして、写真紙３０の周縁部５ｂは、例えば、図９（ｂ）に示すように、折曲線３３ａ、３３ｂにより左右折り返し片３３が厚紙１０の側面、厚紙１０の内面の順に折り返され、更に折曲線３３ｃにより突出片３４が厚紙１０の上端面（又は下端面）に折り返された後、折曲線３２ａにより上下折り返し片３２が前記突出片３４上に折り返され、更に折曲線３２ｂにより厚紙１０の内面（裏面）側であって左右折り返し片３３上に折り返されて貼着される。
【００４４】
このようにしてフィルム２０がハードカバーＨの隅部においてきれいに折り畳まれることにより、ハードカバーＨの見栄えが良好となる。
【００４５】
次に、本実施形態のハードカバーの製造方法の一例について説明する。
【００４６】
（１）まず、写真紙５と、表紙部２に対応する写真紙５の領域の裏面及び背部３に対応する写真紙５の領域の裏面に貼着される厚紙ブロック４ａ〜４ｃを用意する。
【００４７】
（２）次に、図１０（ａ）に示すように、型抜き及び筋押し装置５０を用いて、写真紙５の四隅を斜めにカットするとともに、写真紙５の周縁部５ｂに厚紙１０の形状に沿って折り返すための折曲線２１、２１ａ、２２、２２ａ（図３参照）を筋押しして形成する。
【００４８】
（３）次に、図１０（ｂ）に示すように、糊貼着装置４１により、写真紙５の裏面の全領域に糊を塗布し、写真紙５の裏面の所定領域（表紙部２、背部３に対応するそれぞれの領域）に３つの厚紙ブロック４ａ〜４ｃを重ねて、対向配置されたローラ装置４２などを用いて圧着する。
【００４９】
（４）次に、図１０（ｃ）に示すように、ローラを備えた折り返し装置４３を用いて、写真紙５の周縁部５ｂに有する上下折り返し片２０ａを折曲線２１、２１ａに沿って写真紙５の裏面側へと折り返しつつ圧着するとともに、図１０（ｄ）に示すように、ローラを備えた折り返し装置４３を用いて、写真紙５の周縁部５ｂに有する左右折り返し片２０ｂを折曲線２２、２２ａに沿って写真紙５の裏面側へと折り返しつつ圧着して、ハードカバーＨを製造する。
【００５０】
このように製造されたハードカバーＨは、厚紙１０の周縁（端部）が写真紙５の周縁部５ｂで覆われるようになっている。また、写真紙５には、周縁部５ｂに厚紙１０の形状に沿って折り返すための折曲線２１、２１ａ、２２、２２ａが筋押しされて形成されているので、容易に写真紙５を折り返すことができ、容易にハードカバーを製造することが可能である。また、複数の写真を出力して、そのうちの１枚を表紙としてハードカバーＨを備えたフォトブックを容易に作成することができる。さらに、ユーザのお気に入りの写真でハードカバーＨを容易に作成することができる。
【００５１】
なお、本発明は上記実施の形態に限定されるものではなく、本発明の要旨の範囲内で種々変更可能である。例えば、本実施形態の図５の説明では左右折り曲げ片を折り返した後に上下折り曲げ片を折り返し、一方で、図８の説明では上下折り曲げ片を折り返した後に左右折り曲げ片を折り返すようになっているが、この折り返し方はどちらの折り曲げ片が先でも構わない。また、本実施形態の写真紙は折り返しやすいように隅部をカットしているが、略矩形状であっても勿論構わない。また、厚紙１０には、アクリル樹脂または塩ビプレートを用いることが可能である。
【符号の説明】
【００５２】
Ｈ  ハードカバー
２  表紙部
３  背部
５  写真紙
５ａ  周縁部
１０  厚紙
２０ａ、２０ｂ、２１、２２  折曲線
【図１】
2011056777.tif 000003
【図２】
2011056777.tif 000004
【図３】
2011056777.tif 000005
【図４】
2011056777.tif 000006
【図５】
2011056777.tif 000007
【図６】
2011056777.tif 000008
【図７】
2011056777.tif 000009
【図８】
2011056777.tif 000010
【図９】
2011056777.tif 000011
【図１０】
2011056777.tif 000012
【図１１】
2011056777.tif 000013